(57)【特許請求の範囲】
【請求項１】
植物の根部が伸び出すことを阻止する根止め膜の上面に保水層を形成し、該保水層の上面に必要量の粒状弾性材を接着硬化材で固化して成る透水性活着層を設け、該透水性活着層の表面に必要量の多孔質粒状材を敷設して圧着すると共に、該多孔質粒状材を設けた表面側から前記透水性活着層に至る深さの植孔を適当箇所に設け、夫々の植孔に植物の根部を土壌と共に移植して根付かせたものをコンクリート等の壁面にボルト等の固定手段で固定するようにしたことを特徴とする緑化盤。
【請求項２】
前記保水層の端部に形成した注水孔の内部に吸水性材料から成る浸水芯の一端を設けると共に、該浸水芯の外周にチューブを被管して該浸水芯の他端を溜水漕内に設けることによって、前記浸水芯を経て水分を前記保水層に浸透させるようにしたことを特徴とする請求項１記載の緑化盤。
【請求項３】
前記粒状弾性材は球状の発砲スチロール等の弾性を有する疎水性粒状体であることを特徴とする請求項１記載の緑化盤。
【請求項４】
前記多孔質粒状材は多孔質の石材や人工組成材であることを特徴とする請求項１記載の緑化盤。
【請求項５】
前記透水性活着層の内部に補強材を設けたことを特徴とする請求項１記載の緑化盤。
【発明の詳細な説明】
【０００１】
【発明の属する技術分野】
本発明は、コンクリート壁面等に人工の緑化盤を固定して植物を根付かせるようにした緑化盤に関するものである。
【０００２】
【従来の技術】
庭園あるいは自然環境を人工的に造成する場合、コンクリート垂直壁面あるいは急激な勾配面等に多肉性乾燥植物等を育成することが行われている。
【０００３】
このようなコンクリート壁面等に植物を根付かせるために、従来は上記のような垂直壁面あるいは急激な勾配面に植物繊維を固定して、これに根付けをするようにした例があるが、植物繊維は腐食するため、根付けした植物が垂直壁面あるいは急勾配面からはがれてしまうという不都合があった。
【０００４】
また、コンクリート壁面等に沿って植物を成育させた場合、水分の供給、特に保水が困難となるが、この場合の水分の供給及び保水を自然の雨水等を利用して行うことができれば、植物の育成管理を容易に行うことが可能となる。
【０００５】
【発明が解決しようとする課題】
本発明は上記の事情を考慮して成されたもので、腐食しない材料から成る人工の緑化盤を形成し、その表面に多肉性乾燥植物等の植物を人工的に根付かせてコンクリート等の垂直壁面あるいは急勾配面等に固定し、さらには水分の供給及び保水を容易かつ十分に行わせるようにした緑化盤を提供することを目的とする。
【０００６】
【課題を解決するための手段】
上記の課題を解決するために、本発明の請求項１の緑化盤は、植物の根部が伸び出すことを阻止する根止め膜の上面に保水層を形成し、該保水層の上面に必要量の粒状弾性材を接着硬化材で固化して成る透水性活着層を設け、該透水性活着層の表面に必要量の多孔質粒状材を敷設して圧着すると共に、該多孔質粒状材を設けた表面側から前記透水性活着層に至る深さの植孔を適当箇所に設け、夫々の植孔に植物の根部を土壌と共に移植して根付かせたものをコンクリート等の壁面にボルト等の固定手段で固定するようにしたことを特徴とする。
【０００７】
また、本発明の請求項２の緑化盤は、請求項１の発明において、前記保水層の端部に形成した注水孔の内部に吸水性材料から成る浸水芯の一端を設けると共に、該浸水芯の外周にチューブを被管して該浸水芯の他端を溜水漕内に設けることによって、前記浸水芯を経て水分を前記保水層に浸透させるようにしたことを特徴とする。
【０００８】
また、本発明の請求項３の緑化盤は、請求項１の発明において、前記粒状弾性材は球状の発砲スチロール等の弾性を有する疎水性粒状体であることを特徴とする。
【０００９】
また、本発明の請求項４の緑化盤は、請求項１の発明において、前記多孔質粒状材は多孔質の石材や人工組成材であることを特徴とする。
【００１０】
さらに、本発明の請求項５の緑化盤は、請求項１の発明において、前記透水性活着層の内部に補強材を設けたことを特徴とする。
【００１１】
【発明の実施の形態】
以下、本発明の実施例について図面を参照しながら説明する。
【００１２】
本発明による緑化盤１は、図３に示すように、植物の根部９が伸び出すことを阻止する根止め膜２の上面に保水層３を形成し、該保水層３の上面に必要量の粒状弾性材４を接着硬化材５で固化して成る透水性活着層６を設け、該透水性活着層６の表面に必要量の多孔質粒状材７を敷設して圧着すると共に、該多孔質粒状材７を設けた表面側から透水性活着層６に至る深さの植孔８を適当箇所に設け、夫々の植孔８に植物の根部９を埋設して根付かせたものをコンクリート等の壁面にボルト等の固定手段で固定するようにしたものである。
【００１３】
このような緑化盤１の実施例について詳細に述べると、図１(a) 、(b) に示すように、根止め膜２は薄厚の合成樹脂シート等を所定の緑化盤１の底面全体を覆う面積で形成する。この根止め膜２は緑化盤１の最下面にあって、コンクリート等の壁面に当接する部分であり、緑化盤１の内部にて育成した植物の根部９がコンクリート等の壁面に侵食するのを防止する役目を果たす。
【００１４】
また、上記の根止め膜２の上面に設けられた保水層３は、水分が浸透する海綿状の材料、またはその他の吸水性及び保水性に優れた材料を用い、水分の吸水量や保水量に応じて計画された厚さにしたものを根止め膜２の全面に設けるようにしている。
【００１５】
図２において、透水性活着層６は必要量の粒状弾性材４を接着硬化材５で固化することにより形成する。粒状弾性材４としては球状の発砲スチロール等の弾性を有する疎水性粒状体を用い、また接着硬化材５としてはセメントにモルタル接着強化剤と水とを混入して攪拌したものを用い、この接着硬化材５を粒状弾性材４に混入して攪拌すると、夫々の粒状弾性材４の周囲に付着した接着硬化材５が互いに接着しあって透水性活着層６が形成される。
【００１６】
なお、上記の透水性活着層６には透水性を有するための隙間が必要である。このため、透水性活着層６として球状の発砲スチロール等の弾性を有する疎水性粒状体を使用すると、その球形状及び弾力性が隙間形成に有利となり、全体として非常に軽量となる。また、接着硬化材５の粘性を調整することによって個々の粒状弾性材４の隙間が接着硬化材５で完全に埋まらないようにする。
【００１７】
このような透水性活着層６は上記のように多数の粒状弾性材４を集積して接着したものであり、板状その他の所望形状に形成することが可能である。
【００１８】
さらに、透水性活着層６の表面に多孔質粒状材７、例えば軽石等の多孔質の粒状石材または人工の粒状組成材等の透水性を有する粒状材を敷設して圧着すると、透水性活着層６の表面の個々の粒状弾性材４に付着した接着硬化材５に夫々の多孔質粒状材７が密着して透水性活着層６の表面を多孔質粒状材７で覆うことができる。
【００１９】
ここで、保水層３は透水性活着層６の下面全体を覆うものであり、該保水層３に吸収された水分はここで保有され、透水性活着層６あるいは多孔質粒状材７の乾燥状態に応じて、保水層３側の水分が透水性活着層６あるいは多孔質粒状材７側に吸収される。
【００２０】
さらに、図３において、植孔８は、多孔質粒状材７を設けた表面側から透水性活着層６に至る深さに形成されている。この植孔８には、あらかじめ植物の根付けがなされたポット（植栽用容器）から、その内部の土９ａと共に根部９を移植して、該植孔８に設けるようにしたものであり、埋設後は植物が成育して根部９が透水性活着層６や多孔質粒状材７の隙間に進入して根を張った後にコンクリート等の壁面１０に固定するのが望ましい。こうすることによって、緑化盤１を横状態、あるいは急勾配状態、さらには垂直状態に設置したときでも植物が緑化盤１から脱落することがない。
【００２１】
緑化盤１をコンクリート等の壁面１０に固定するには、該緑化盤１の所定箇所に形成したボルト孔１２にボルト１１等の固定手段を通してコンクリート等の壁面１０に固定することによって行う。
【００２２】
上記のように形成された緑化盤１は、その表面を占める個々の多孔質粒状材７において多孔質であり、内部の透水性活着層６においても夫々の粒状弾性材４間に隙間を有するため、全体として透水性を有すると共に、それらの多孔質粒状材７の多孔部または透水性活着層６内の隙間に植物の根部９を成育させることが可能となる。
【００２３】
なお、表面の多孔質粒状材７の隙間に土やピートモス等による根部活着材１３を埋め込んでこの根部活着材１３に植物を根付かせることも可能であるから、植孔８にて成育した植物を緑化盤１の表面全体に根付かせることも可能である。
【００２４】
従って、このように植物が多孔質粒状材７や内部の透水性活着層６に根を張った後は、緑化盤１を平面状に設置し得ることはもちろん可能であり、さらには急勾配状態、垂直状態にしたときでも植物が緑化盤１から脱落することがない。
【００２５】
なお、本発明の緑化盤１に適する植物としては、セダム等の多肉性乾燥植物が挙げられるが、根付けが可能な限り他の植物に適用することも可能である。
【００２６】
また、緑化盤１の構成部材はすべて無機物から構成できるため、腐食することがなく、水分の供給を良好なものとすれば、植物は成育を続けることができる。
【００２７】
また、本実施例においては、図２または図３に示すように、上記の透水性活着層６の内部に金属またはプラスチックによる網状の補強材１８を設けるのが好ましい。特に、緑化盤１を強度が要求されるような箇所に設置する場合、内部の補強材１８によって、外力あるいは根部９の伸長等によるひび割れ、破損、折曲等を防止することが可能となる。
【００２８】
さらに、緑化盤１内に水分を確保するために、図４に示すように、保水層３の端部に形成した注水孔１４の内部に吸水性材料から成る浸水芯１５の一端を当てて、図５に示すように、係止具１９で固定すると共に、該浸水芯１５の外周にチューブ１６を被管して該浸水芯１５の他端を雨水１７ａ等を溜めるように造成した溜水漕１７内に浸水させる。
【００２９】
なお、浸水芯１５は一本に限らず、保水層の端部に形成した注水孔１４の数だけ形成してもよいし、また溜水漕１７から一本の浸水芯１５で導くと共に、途中で注水孔１４の数だけ分岐するようにしてもよい。また、溜水漕１７には、必要に応じて給水管２３によって水道水等を補給するようにしてもよい。
【００３０】
このような構成によって、溜水漕１７内から浸水芯１５を経て吸い上げた水分はチューブ１６によって蒸発が防止された状態で保水層３に至り、該保水層３内に浸透する。
【００３１】
次に、上記の板状の緑化盤１の作成方法について述べると、図６(a) に示すように、所望面積及び平面形状の緑化盤１を形成し得る内部面積の有底枠体２０を形成し、この枠体２０の底板２１に合成樹脂シート等の根止め膜２を敷設する。
【００３２】
次いで、図６(b) に示すように、枠体２０内の根止め膜２の上面に海綿体等による保水層３を設ける。
【００３３】
さらに、この保水層３の上面に透水性活着層６を形成するのであるが、緑化盤１の強度を強化する場合等の必要に応じて、保水層３の上面に金属またはプラスチック等による網状の補強材１８を略全面に敷設する。
【００３４】
次いで、図６(c) に示すように、保水層３或は補強材１８の上面に球状の発砲スチロールによる粒状弾性材４と上記の接着硬化材５を混入したもの枠体２０内に入れて均一に行き渡らせると共に、均等な高さとなるように全体を均す。
【００３５】
次いで、図６(d) に示すように、均一に敷設した透水性活着層６の表面に多孔質粒状材７として軽石等の多孔質の粒状石材を敷き詰め、図６(e) に示すように、この表面の多孔質粒状材７全体を押圧板２２等で圧着すると、透水性活着層６の接着硬化材５に夫々の多孔質粒状材７が密着して表面全体を覆うこととなる。
【００３６】
このような圧着後に、透水性活着層６がまだ固まらないうちに、植孔８、注水孔１４、ボルト孔１２等を必要箇所に形成して硬化させることにより、所望形状の緑化盤１を得る。
【００３７】
【発明の効果】
以上説明したように、本発明の緑化盤は、各構成材料が腐食しない材料で構成されているため、戸外の長期間の使用においても腐敗することがなく、コンクリート等の壁面にボルト等の固定手段で固定した状態を永続的に維持することができる。
【００３８】
また、本発明の緑化盤に形成された植孔内で根付いた植物の根部は緑化盤全体に根を張ることができるため、この緑化盤を平面状に設置することはもちろん、コンクリート壁面等の勾配面あるいは垂直面に固定することも可能である。
【００３９】
また、緑化盤の構成材料は全体に軽量に形成することが可能であり、施工箇所に継ぎ足していくことによって広範囲にわたる造営が可能である。
【００４０】
さらには、植孔に移植した植物の根部を周辺の透水性活着層の隙間や多孔質粒状材に進入させて根付かせることができ、しかも多孔質粒状材と透水性活着層に水分が容易に浸透して全体への均等な水分供給が可能であり、さらに透水性活着層の下部の保水層によって水分の保水及び供給が可能となる。
【００４１】
さらに、保水層の端部に形成した注水孔と雨水等を溜める溜水漕とを吸水性材料から成る浸水芯で連結したことにより、溜水漕に自然に溜った雨水、或は必要に応じて供給した水分等を浸水芯を介して保水層に浸入させ、さらに多孔質粒状材と透水性活着層との緑化盤全体に均一に供給することが可能となる。
【図面の簡単な説明】
【図１】(a) 本発明による緑化盤の上面図であり、(b) は該緑化盤の側面図である。
【図２】本発明による緑化盤の断面を拡大した部分図である。
【図３】本発明による緑化盤の植孔に植物の根部を移植して根付かせた状況を示す断面図である。
【図４】本発明による緑化盤の多孔質粒状材に端部に形成した注入孔の拡大断面図である。
【図５】本発明による緑化盤の給水構成を示す図である。
【図６】(a) 乃至(e) は本発明による板状の緑化盤の作成工程を示す断面図である。
【符号の説明】
１…緑化盤
２…根止め膜
３…保水層
４…粒状弾性材
５…接着硬化材
６…透水性活着層
７…多孔質粒状材
８…植孔
９…根部
１０…壁面
１１…ボルト
１２…ボルト孔
１３…根部活着材
１４…注水孔
１５…浸水芯
１６…チューブ
１７…溜水漕
１８…補強材
１９…係止具
２０…枠体
２１…底板
２２…押圧板
【図１】
0003541786.tif 000002
【図２】
0003541786.tif 000003
【図３】
0003541786.tif 000004
【図４】
0003541786.tif 000005
【図５】
0003541786.tif 000006
【図６】
0003541786.tif 000007